(57)【要約】      （修正有）【課題】通常は、遺影や生前の写真、花立て、仏具等の収納物を納骨壇内部に収納することができ、収納物の取り替え・掃除等の際には、非常に使い勝手良く作業することができ、かつ、簡単な構成の回転式収納棚を備えた納骨壇を提供する。【解決手段】前面側が開口された箱形状の本体部２を備えた納骨壇１であって、本体部の前面には、左右に観音扉３Ｌ、３Ｒが設けられ、本体部の内部には、外部から視認できない後部収納部と、外部から視認できる前部収納部１０が設けられ、前部収納部は、本体部との境界端部に設けられた軸部で回動可能に軸支されており、前部収納部は、左右の観音扉が開かれた状態で、軸部を中心に回動されることで、本体部への収納、及び、本体部からの引出しを行うことができる。【選択図】図４
0003234121.tif 000002
【実用新案登録請求の範囲】
【請求項１】
前面側が開口された箱形状の本体部を備えた納骨壇であって、
該本体部の前面には、左右に観音扉が設けられ、
前記本体部の内部には、外部から視認できない後部収納部と、外部から視認できる前部収納部が設けられ、
該前部収納部は、前記本体部との境界端部に設けられた軸部で回動可能に軸支されており、
前記前部収納部は、前記左右の観音扉が開かれた状態で、前記軸部を中心に回動されることで、前記本体部への収納、及び、前期本体部からの引出しを行うことができる構成にされた
ことを特徴とする納骨壇。
【請求項２】
前記前部収納部は、上方からの平面視の断面形状が、等脚台形の形状をなし、
該等脚台形の右脚と下底との交点が、前記本体部の右側板前端部に軸支され、
前記等脚台形の上底と左脚との交点と前記該脚台形の右脚と下底との交点との間の距離は、
前記等脚台形の左脚と下底との交点と前記該脚台形の右脚と下底との交点との間の距離に等しい
ことを特徴とする請求項１に記載の納骨壇。
【請求項３】
人用納骨壇、又は、ペット用納骨壇であることを特徴とする請求項１又は２に記載の納骨壇。
【考案の詳細な説明】
【技術分野】
【０００１】
本考案は、人用又はペット用として使用可能であり、仏壇としても使用可能な納骨壇に関し、特に、内部に骨壺、写真、遺影等を収納することができ、これら収納物を容易に出し入れることができる納骨壇に関するものである。
【背景技術】
【０００２】
近年、墓地の不足、墓・土地の価格の高騰等から、都市部を中心に納骨壇の需要が高まっており、霊園や寺院等では、多数の納骨壇の設置が行われている。納骨壇としては、コンパクトな箱型で、内部に位牌や骨壺を収納することができる構造のものが広く知られている。また、近年では、ペット用の納骨壇（仏壇）も提案されている。
【０００３】
例えば、特許文献１には、「貴重品等の保管に関して実質的な安全性と精神的な安心感の両方が得られるように、貴重品等を誰にも見つからないよう隠して保管することのできる仏壇を提供する」（段落「０００４」参照。）ことを目的として、「前面側が開口する筐体の内部に仏具等を収納する収納部が設けられ、前記収納部と前記筐体の側面部材との間に外部から見えないように貴重品等保管用の隠し空間が形成され、当該隠し空間が収納部側に開口するとともに、収納部に備えられた引出しが隠し空間に接することを特徴とする仏壇」（「請求項１」参照。）が記載されている。
【０００４】
また、特許文献２には、「霊壇を大型化することなく、霊壇の内部に骨箱と霊具を効率的に収容できるペット用霊壇を提供する」（段落「０００３」参照。）ことを目的として、「前面を開口して内部に空間部を有する箱型のペット用霊壇であって、前記空間部の底部に重ね合わせてスライドする平板を設け、この平板に前記空間部を前後の収納室に区画する中仕切り板を立設したことを特徴とするペット用霊壇」（「請求項１」参照。）が記載されている。
【０００５】
また、特許文献３には、「棚板任意の平面形に選定し得ること、及び該棚板の回転出没させることに依り、該棚板の使用形態の向上と、その特異性を指向すること」（明細書第２頁第３行乃至第７行参照。）ことを目的として「棚板を任意の平面形に成形し、又その後方中央部を芯軸をもつて枢支し、この芯軸を支点として棚板を回転し出し入れするようにして成る納骨仏壇の棚板」（「請求項１」参照。）が記載されている。
【０００６】
また、特許文献４には、「祭壇の所定位置に載置するのみで、額縁を簡単に固装することができ、特に祭壇の飾り付けが完了後に、極めて容易に遺影写真を挿着し得るようにした額縁」（段落「０００３」参照。）を提供することを目的として、「額縁本体とそれを支持する台盤とから構成され、額縁本体の正面部に写真パネルの挿入空間を形成し、一側面に前記挿入空間に連通する挿入口を設け、かつ挿入口の反対側面に、台盤上において額縁本体を回動可能にするための支軸管を固着した葬儀に使用する祭壇用額縁」（「請求項１」参照。）が記載されている。
【先行技術文献】
【特許文献】
【０００７】
【特許文献１】特許第４９８８１７６号公報
【特許文献２】実用新案登録第３０５０７８５号公報
【特許文献３】実開昭５７−０４７９８７号公報
【特許文献４】特開平０８−２０５９９０号公報
【考案の概要】
【考案が解決しようとする課題】
【０００８】
ところで、霊園や寺院に設置されている納骨壇には、骨壺は当然に収納されるが、故人の遺影又は故ペットの生前の写真を飾ることは、希であると思われる。また、納骨壇を霊園や寺院ではなく、遺族や飼い主の住宅に設置するような場合においては、納骨壇に、故人の遺影又は故ペットの生前の写真等を収納することが想定される。遺影や生前の写真等を納骨壇に常時飾ることができれば、遺族が日常的に個人の遺影や故ペットの生前の写真を見て、故人や故ペットの生前の思い出を偲ぶことができる。
【０００９】
ここで、上記のように納骨壇に遺影や生前の写真を別のものと取り替えたり、遺影や生前の写真を飾るための棚や台を掃除する場合がある。また、前記棚や台に飾った花を新しい花に取り替える場合がある。
【００１０】
しかしながら、特許文献１に記載の「納骨壇」は、「上棚１４」や「下棚１５」は、固定式であると想定されるので、「上棚１４の上」に「安置」された「仏像，位牌等」を掃除又は取り替えたり、「下棚１５」に「載せ」られた「物販器、香炉、花立て」を掃除又は取り替えたりする場合、その都度「扉１２」開いて「仏壇本体１０の筐体１１」の内部まで手を入れる必要があり、掃除又は取り替え作業には、使い勝手がよくないものと推量される。
【００１１】
また、特許文献２に記載された「納骨仏壇」においては、「平板２１」を前方にスライドさせることで、「小収納室６Ｂ」に収納された「写真立て２６」を掃除又は取り替えたりすることができるものと推量される。また、「線香用の香炉や線香台などの霊具２７」を載置する「スライド板１０」も前方に引き出すことができる構成にされている。このように、納骨仏壇（納骨壇）に前後にスライドする板（棚）を設けることは、一般的に知られている。
【００１２】
また、特許文献３に記載された「納骨仏壇」は、上記特許文献２のようなスライド式ではなく、「供え物や仏具」を載置する「棚板」を「回転出没」させる構成にされているが、「棚板」に「供え物や仏具」を載置している期間は、「棚板」は、「納骨仏壇」から外部に突出しているので、載置している「供え物や仏具」が汚れるのを防ぐためには、こまめな掃除が必要と推量される。
【００１３】
また、特許文献４には、「額縁本体１を図３の位置から図４の位置まで回動させる」（特許文献４の明細書段落「０００６」、図３、図４等参照。）と記載されているが、「額縁本体１」を「回動させる」ために電動の「モータ９」を用いているので、「祭壇Ｓ」の構成が大がかりとなり、製造コスト、設置費用、ランニングコスト（電気代）等が増大するものと推量される。
【００１４】
そこで、本考案は、通常は、遺影や生前の写真、花立て、仏具等を納骨壇内部に収納することができ、これら収納物の取り替え・掃除等の際には、非常に使い勝手良く作業することができ、かつ、簡単な構成の回転（回動）式の収納部を備えた納骨壇を提供することを目的とする。
【００１５】
また、本考案は、簡単な構成で、仏壇、又は、ペット用の納骨壇・仏壇等としても利用できる納骨壇を提供することを目的とする。
【課題を解決するための手段】
【００１６】
上記の目的を達成するため、請求項１の考案は、前面側が開口された箱形状の本体部を備えた納骨壇であって、該本体部の前面には、左右に観音扉が設けられ、前記本体部の内部には、外部から視認できない後部収納部と、外部から視認できる前部収納部が設けられ、該前部収納部は、前記本体部との境界端部に設けられた軸部で回動可能に軸支されており、前記前部収納部は、前記左右の観音扉が開かれた状態で、前記軸部を中心に回動されることで、前記本体部への収納、及び、前期本体部からの引出しを行うことができる構成にされたことを特徴とする。
【００１７】
また、請求項２の考案は、請求項１に記載の考案において、前記前部収納部は、上方からの平面視の断面形状が、等脚台形の形状をなし、該等脚台形の右脚と下底との交点が、前記本体部の右側板前端部に軸支され、前記等脚台形の上底と左脚との交点と前記該脚台形の右脚と下底との交点との間の距離は、
前記等脚台形の左脚と下底との交点と前記該脚台形の右脚と下底との交点との間の距離に等しいことを特徴とする。
【００１８】
また、請求項３の考案は、請求項１又は請求項２に記載の考案において、人用納骨壇、又は、ペット用納骨壇であることを特徴とする。
【考案の効果】
【００１９】
本考案の納骨壇によれば、通常は、遺影や生前の写真、花立て、仏具等を納骨壇内部に収納することができ、これら収納物の取り替え・掃除等の際に、非常に使い勝手良く作業することができ、かつ、簡単な構成の回転（回動）式で収納・引出が容易であるという顕著な効果を奏する。
【図面の簡単な説明】
【００２０】
【図１】本考案の一実施形態における納骨壇の閉扉状態の全体外観斜視図である。
【図２】本考案の一実施形態における納骨壇の開扉状態の全体外観斜視図である。
【図３】図２において、引出部を引き出した状態の全体外観斜視図である。
【図４】本考案の一実施形態における納骨壇の前部収納部を回動させ引き出した状態の全体外観斜視図である
【図５】本考案の一実施形態における前部収納部の引出し方を説明する原理図である。
【図６】本考案の一実施形態における納納骨壇の開扉状態の全体外観斜視図である。
【図７】本考案の一実施形態における納納骨壇の右側面から見た断面図である。
【考案を実施するための形態】
【００２１】
以下、好適な実施形態を用いて本考案をさらに具体的に説明する。但し、下記の実施形態は本考案を具現化した例に過ぎず、本考案はこれに限定されるものではない。
【００２２】
（実施形態）
本考案の実施形態におけるに納骨壇１について、図１〜図７を参照しながら説明する。図１は、本考案の一実施形態における納骨壇の閉扉状態の全体外観斜視図であり、図２は、本考案の一実施形態における納骨壇の開扉状態の全体外観斜視図であり、図３は、図２において、引出部を引き出した状態の全体外観斜視図であり、図４は、本考案の一実施形態における納骨壇の回転式棚を回転させ引き出した状態の全体外観斜視図であり、図５は、本考案の一実施形態における回転式棚の引出し方を説明する原理図であり、図６は、本考案の一実施形態における納納骨壇の開扉状態の全体外観斜視図であり、図７は、納骨壇を右側面から見た断面図である。
【００２３】
本考案の実施形態の納骨壇１は、外観的には、前面が開口された箱形状の本体部２と、本体部２の前面開口部に設けられた左右一対の観音扉３Ｌ，３Ｒとで構成されている。本体部２には、矩形状の底板と４、底板４に略等しい大きさの頂板５と、底板４の周端部に立設された左側板６Ｌ，左側板に略等しい大きさの右側板６Ｒ，背板７を備えている。底板４、頂板５、左側板６Ｌ、右側板６Ｒ、背板７は、木材等の材料を用い、所定の厚さを有する矩形板状に形成されている。底板４、頂板５、左右側板６Ｌ，６Ｒ、背板７は、箱形状の本体部２の開口部以外の外周面を構成している。なお、木材以外の材料でも構わない。また、本体部２の内部には、外部から視認可能な前部収納部１０と、外部から視認できない後部収納部１５が設けられている。
【００２４】
左観音扉３Ｌは、左側板６Ｌに上下一対の蝶番８ＬＵ，８ＬＤで回動自在に枢設されており、右観音扉３Ｒは、右側板６Ｒに上下一対の蝶番８ＲＵ，８ＲＤで回動自在に枢設されている。左観音扉３Ｌと右観音扉３Ｒとは、略同形状に形成され、閉扉状態では、本体部２の中央部で密接するように、又は、僅かな隙間を有するように取り付けられる。左観音扉３Ｌの略中央下部から上端近傍部にかけて、透明部３ＬＧが設けられている。同様に、右観音扉３Ｒの略中央下部から上端近傍部にかけて、透明部３ＲＧが設けられている。透明部３ＬＧ，３ＲＧは、ガラス板、アクリル板等の透明材料で形成される。この透明部３ＬＧ，３ＲＧを設けることで、左右観音扉３Ｌ，３Ｒを閉扉した状態で、外部から、納骨壇１内部に収納された、写真Ｐ１〜Ｐ４、花立て（不図示）、仏具（不図示）等を視認することができる。
【００２５】
左観音扉３Ｌ，右観音扉３Ｒを閉扉したときの境界部近傍下部には、それぞれ、一対の取手８ＬＴ，８ＲＴが取り付けられ、この取手８ＬＴ，８ＲＴを操作することで、左観音扉３Ｌを上述した蝶番８ＬＵ，８ＬＤにより回動自在に開閉することができ、右観音扉３Ｒを上述した蝶番８ＲＵ，８ＲＤにより回動自在に開閉することができる。また、左観音扉３Ｌ，右観音扉３Ｒを閉扉したときの境界上端部近傍の裏面には、それぞれ、マグネットキャッチの受け板９Ｌ，９Ｒが設けられ、左観音扉３Ｌ，右観音扉３Ｒを閉扉した状態では、本体部２内部の前部収納部１０に設けられたマグネットキャッチの磁石部１１Ｌ，１１Ｒに吸着される。
【００２６】
本体部２の下部には、前部収納部１０と画成されて引出部１２が設けられている。引出部１２は、上部が開口された箱形状で、引出取手１２Ｔが設けられた引出前板１２Ｆ、引出底板１２Ｄ，左右の引出側板１２Ｌ，１２Ｒ、引出背板１２Ｂを備えている。引出部１２は、本体部２の下部に設けられた所定の空間に嵌装されるように形成され、引出取手１２Ｔを摘まんで引出部１２をスライド操作させることで、引出部１２を上記本体部２空間内に収納、又は、本体部２から引き出すことができる。引出背板１２Ｂと背板７との間には、引出部ストッパー部１２Ｓが設けられている。
【００２７】
前部収納部１０は、前面が開口され、前部収納部底板１０Ｄ、前部収納部左側板１０Ｌ、前部収納部右側板１０Ｒ，前部収納部背板１０Ｂを備えている。また、前部収納部１０は、本実施形態では上下二段構成とされ、上部と下部を画成する前部収納部間仕切り板１０Ｍを有する。図示するように、前部収納部間仕切り板１０Ｍによって画成された上部には、故人の生前の複数の写真等Ｐ１〜Ｐ４が飾られている。前部収納部１０の前端部には、写真等Ｐ１〜Ｐ４の脱落防止のための上下一対の前部収納部ストッパー部１０ＳＵ，１０ＳＤが設けられている。前部収納部１０は、本体部２と接する境界端部に設けられた軸部で軸支されている。軸部は、例えば、蝶番等、周知のもので構成されている。
【００２８】
前部収納部１０の前部収納部背板１０Ｂの所定位置には、マグネットキャッチの一対の受け板１７Ｌ，１７Ｒが設けられ、後部収納部間仕切り板１５Ｍの前端部の、受け板１７Ｌ，１７Ｒに対応する位置には、マグネットキャッチの磁石部１６Ｋ，１６Ｒが設けられている。
【００２９】
後部収納部は、前部収納部１０の後方側に配された外部から視認できない空間であり、上限二段構成にされている。上段には、通常、外部から視認されない複数の骨壺Ｋ１，Ｋ２が載置され、下段には、常、外部から視認されない複数の骨壺Ｋ３，Ｋ４が載置されている。上段部と下段部は、後部収納部間仕切り板１５Ｍによって画成されている。また、前部収納部１０及び後部収納部１５と、引出部１２とは、間仕切り板１５Ｄによって画成されている。後部収納間仕切り板１５Ｍ、間仕切り板１５Ｄには、骨壺Ｋ１〜Ｋ４の脱落防止のため、上下一対の後部収納部ストッパー部１５ＳＵ，１５ＳＤが設けられている。
【００３０】
前部収納部１０は、左右観音扉３Ｌ，３Ｒが開扉された状態で、本体部２への収納、引出を、従来技術に比べ、簡単に行うことができる。図５は、前部収納部１０の収納、引出の動作原理を説明するものである。図５は、本体部２を上方から見た断面図である。前述したように、後部収納部１５には、骨壺Ｋ１及びＫ２が載置されていてよい。
【００３１】
前部収納部１０は、図５（ａ）及び図５（ｂ）に示すように、上方からみた断面形状（例えば、図７の前部収納部間仕切り板１０Ｍの平面視形状。）が、等脚台形の形状に形成されている。この等脚台形の右脚ｒと下底ｄとの交点は、本体部２、詳細には、右側板６Ｒの前端部の軸部１０Ａに軸支されており、前部収納部１０は、この軸部１０Ａを軸として、回動可能にされている。また、上記等脚台形の上底ｕと左脚ｌとの交点ｘ１と軸部１０Ａとの距離Ｒ１は、等脚台形の左脚ｌと下底ｄとの交点ｘ２と軸部１０Ａとの距離に等しい。つまり、交点ｘ１と交点ｘ２は、距離Ｒ１を半径とする円の円周上にある。したがって、前部収納部１０を前方に引き出すために、軸部１０Ａを中心に回動させても、交点ｘ１は、本体部２の左側板６Ｌに衝突することなくスムーズに引き出すことができる。なお、前部収納部１０を回動させて引き出すときには、図示するように、左観音扉３Ｌは、蝶番８ＬＵ，８ＬＤによって開扉され、右観音扉３Ｒは、蝶番８ＲＵ，８ＲＤによって開扉されている。
したがって、前部収納部１０を引き出した状態を示す図５（ｂ）では、前部収納部１０に載置した遺影・写真、花立て・仏具（不図示）等を簡単に取り替えすることができ、また、掃除等も容易にすることができる。
【符号の説明】
【００３２】
１      納骨壇
２      本体部
３Ｌ    左観音扉
３Ｒ    右観音扉
３ＬＧ，３ＲＧ  透明部
４      底板
５      頂板
６Ｌ    左側板
６Ｒ    右側板
７      背板
８ＬＵ，８ＬＢ，８ＲＵ，８ＲＤ  蝶番
８ＬＴ，８ＲＴ  取手
９Ｌ，９Ｒ  マグネットキャッチの受け板
１０      前部収納部
１０Ｌ    前部収納部左側板
１０Ｒ    前部収納部右側板
１０Ｕ    前部収納部頂板
１０Ｄ    前部収納部底板
１０Ｍ    前部収納部間仕切り板
１０ＳＵ，１０ＳＤ  前部収納部ストッパー部
１１Ｌ，１１Ｒ  マグネットキャッチの磁石部
１２    引出部
１２Ｓ  引出部ストッパ−部
１２Ｔ  引出部取手
１５    後部収納部
１５ＳＵ，１５ＳＤ  後部収納部ストッパー部
１５Ｄ  間仕切り板
１５Ｍ  後部収納部間仕切り板
１６Ｌ，１６Ｒ  マグネットキャッチの磁石部
１７Ｌ，１７Ｒ  マグネットキャッチの受け板
【図１】
0003234121.tif 000003
【図２】
0003234121.tif 000004
【図３】
0003234121.tif 000005
【図４】
0003234121.tif 000006
【図５】
0003234121.tif 000007
【図６】
0003234121.tif 000008
【図７】
0003234121.tif 000009